【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  式(II)
【化1】
2004124057.tif 000001
(式中、Ｔ1、Ｔ2は、互いに等しいか異なり、-CF2X(X=F、CF3、C2F5、Cl)、-CW2COF、-C(O)Rf（Rf=F、(O)yCnF2n+1(y=0、1、n=1、2、3、4、5、好ましくは1)；
Wは-F、-CnF2n+1、好ましくは-Fまたは-CF3である）から選択される；
a、b、cはa+b+cの合計が1〜10,000の間の範囲内の整数または0であり、bとcとが0の場合、T1、T2は-CW2COOR、-CW2C(OH)(OR)CF3(式中、R=H、CH3、C2H5、C3H7)でもある；
Aは単結合、または、
―-(CF2CF3O)p(CF2O)q-
(式中、p、ｑは0〜10,000の整数、(p+ｑ)は少なくとも1に等しく、(a+b+c+q+p)の合計は2〜30,000の範囲である)、
―-(CF2CF(CF3)0)r(CF(CF3)O)s(CF2O)q-
(式中、r、s、qは0〜10,000の整数であり、(r+s+q)の合計は少なくとも1であり、(a+b+c+r+s+q)の合計は2〜30,000の範囲の値を有する)、および
―-(CF2CF(CF3)O)r(CF(CF3)O)s(CF2CF2O)p(CF2O)q-
((a+b+c+r+s+p+q)の合計が3〜30,000の範囲であるような上記の値を有する)
から選択されるオキシペルフルオロアルキレン構造である；
オキシペルフルオロアルキレン単位は鎖に沿って統計的に分布される)
のペルフルオロポリエーテル類。
【請求項２】  式(III)
【化2】
2004124057.tif 000002
(式中、T1、T2、A、a、b、c、Rf、Wは請求項1で定義されているのと同様であり、hは整数であり、h/(a+b+c+r+s+p+q)は0.01〜0.8の間からなる)
のペルオキシペルフルオロポリエーテル類。
【請求項３】  １)式(I)
【化3】
2004124057.tif 000003
(式中、Rf=-F、-(O)yCnF2n+1(式中、y=0、1；n=1、2、3、4、5、好ましくは1)；Wは-F、-CnF2n+1、好ましくは−Fまたは−CF3)
のペルフルオロジオキソールを、−100℃〜＋50℃、好ましくは−90℃〜−30℃の範囲の温度で、2,000〜6,000Åの間の波長を有する光を液体反応混合物に照射するか、または１つ以上のラジカル開始剤を液体反応混合物に供給する工程条件下、
任意にペルフルオロプロペンおよび/またはテトラフルオロエチレンの存在下で、フルオロカーボンおよび/または液体のフルオロエーテルで形成される反応媒体中で、ガス状酸素で酸化し、；
2)工程1)で得られる式(III)
【化4】
2004124057.tif 000004
(式中、T1、T2、A、a、b、c、Rf、Wは式(II)で定義されているのと同様であり、hは整数であり、h/(a+b+c+r+s+p+q)は0.01〜0.8の間からなる)
のペルオキシペルフルオロポリエーテル類を還元する
ことからなる請求項1の式(II)の化合物の製造方法。
【請求項４】  フルオロカーボンが、ペルフルオロカーボン(FC)、クロロフルオロカーボン(CFC)、ヒドロクロロフルオロカーボン(HCFC)、ヒドロフルオロカーボン(HFC)から選択され、フルオロエーテルが、ペルフルオロポリエーテル(PFPE)、ヒドロフルオロエーテル(HFE)およびヒドロフルオロポリエーテル(HFPE)から選択される請求項3による方法。
【請求項５】  ラジカル開始剤が、式F-Q(式中、QはFまたはClで形成される基から選択される；あるいはQは−OR''f(式中、R''fは1〜3の炭素原子のペルフルオロアルキル基)、またはQは−O(Rf'''O)u-F(Rf'''はペルフルオロアルキレン基-CF2-、および/または-CF2CF2-、および/またはCF2CF(CF3)-、および/または-CF(CF3)-)、uは1〜100の整数であるか、またはQは-O(R'''O)uR''fである)の化合物であり、0.0001〜0.5の間からなるモノマーに関するモル比で使用される請求項3または4による方法。
【請求項６】  式(III)の化合物の還元が、
−150℃〜250℃の範囲内の温度での加熱、
−-40℃〜150℃の間の温度で、2,000〜6,000Åの間の波長を有する光の照射、
−水素での接触還元
から選択される方法によって行われる式(II)のペルフルオロポリエーテルを得る請求項3〜5のいずれか1つによる方法。
【請求項７】  式(III)の化合物の還元が、式(II)のペルフルオロポリエーテル(式中、bおよびcは0に等しく、T1、T2は、−CF2X(X=F、CF3、C2F5、Cl)、-CW2COOR、-CW2C(OH)(OR)CF3(R=H、CH3、C2H5、C3H7))を得るため、プロトン条件、好ましくは水性アルコール媒体中、還元剤、好ましくはHIまたはHI/SO2を使用して行う請求項3〜5のいずれか1つによる方法。
【請求項８】官能性末端を有する化合物、好ましくはアミン類、アルコール類、アルデヒド類、塩類、ニトリル類、アミド類の製造での、繰り返し単位
【化5】
2004124057.tif 000005
および/または
【化6】
2004124057.tif 000006
ならびに任意に反応性末端単位、好ましくは-CW2COF、-C(O)Rfを含む請求項1のペルフルオロポリエーテル、ならびにbおよびcの値は0に等しく、T1、T2は-CW2COOR、-CW2C(OH)(OR)CF3の間から選択される請求項1のペルフルオロポリエーテルの使用。
【手続補正２】
【補正対象書類名】明細書
【補正対象項目名】０００９
【補正方法】変更
【補正の内容】
【０００９】
(式中、Ｔ1、Ｔ2は、互いに等しいか異なり、-CF2X(X=F、CF3、C2F5、Cl)、-CW2COF、-C(O)Rf（Rf=F、(O)yCnF2n+1(y=0、1、n=1、2、3、4、5、好ましくは1)；
Wは−F、−CnF2n+1、好ましくは−Fまたは−CF3である）から選択される；
a、b、cはa+b+cの合計が1〜10,000の間の範囲内の整数または0であり、bとcとが0の場合、T1、T2は-CW2COOR、-CW2C(OH)(OR)CF3(式中、R=H、CH3、C2H5、C3H7)でもある；
Aは単結合、または、
―-(CF2CF3O)p(CF2O)q-
(式中、p、ｑは0〜10,000の整数、(p+ｑ)は少なくとも1に等しく、(a+b+c+q+p)の合計は2〜30,000の範囲である)、
―-(CF2CF(CF3)0)r(CF(CF3)O)s(CF2O)q-
(式中、r、s、qは0〜10,000の整数であり、(r+s+q)の合計は少なくとも1であり、(a+b+c+r+s+q)の合計は2〜30,000の範囲の値を有する)、および
―-(CF2CF(CF3)O)r(CF(CF3)O)s(CF2CF2O)p(CF2O)q-
((a+b+c+r+s+p+q)の合計が3〜30,000の範囲であるような上記の値を有する)
から選択されるオキシペルフルオロアルキレン構造である；
オキシペルフルオロアルキレン単位は鎖に沿って統計的に分布される)
のペルフルオロポリエーテル類である。
【手続補正３】
【補正対象書類名】明細書
【補正対象項目名】００１７
【補正方法】変更
【補正の内容】
【００１７】
ラジカル開始剤としては、式F-Q(式中、QはFまたはClで形成される基から選択される；あるいはQは−OR''f(式中、R''fは1〜3の炭素原子のペルフルオロアルキル基)、またはQは−O(Rf'''O)u-F(Rf'''はペルフルオロアルキレン基-CF2-、および/または-CF2CF2-、および/またはCF2CF(CF3)-、および/または-CF(CF3)-)、uは1〜100の整数であるか、またはQは-O(R'''O)uR''fである)の化合物を意味する。
好ましくは、開始剤を、不活性ガスで混合物中に供給する。反応開始剤とモノマーとの間でのモル比は、0.0001〜0.5の間からなる。
絶対圧は、1〜15 atmの間からなる。
反応を不連続に行うこともでき、また反応器から反応液体相の一部を抜き取り、それを抽出し、任意な溶媒と未反応のモノマーまたはモノマーとを再循環させることで連続した方法で行うこともできる。